(57)【特許請求の範囲】
【請求項１】
ディジタル信号の制御を行う信号制御装置において、
入力信号をシリアル／パラレル変換してパラレルデータに変換するシリアル／パラレル変換手段と、
動作状態が不安定状態の時には、前記パラレルデータを読み出す際の最適位置で、読み出し保証領域を縮小した小ウィンドウを設定し、前記小ウィンドウの設定から一定時間経過した後は、動作状態が安定状態と判断して、前記最適位置から前記読み出し保証領域を拡大した大ウィンドウを設定するウィンドウ設定手段と、
前記小ウィンドウまたは前記大ウィンドウに同期して、前記小ウィンドウまたは前記大ウィンドウに対する読み出し保証領域内に常に位置する読み出しパルスにもとづいて、前記パラレルデータを読み出してパラレル／シリアル変換し、シリアルデータを生成するパラレル／シリアル変換手段と、
を有することを特徴とする信号制御装置。
【請求項２】
前記ウィンドウ設定手段は、前記読み出しパルスに同期した前記小ウィンドウ及び前記大ウィンドウを生成することを特徴とする請求項１記載の信号制御装置。
【請求項３】
前記シリアルデータが正常な周期で生成されているか否かを監視するための保護段を設け、設定された保護段数を満たさない場合には、後段へ自走制御を指示して、出力を保護する出力保護手段をさらに有することを特徴とする請求項１記載の信号制御装置。
【請求項４】
ネットワークを通じて、ディジタル信号の伝送を行う伝送システムにおいて、
入力信号をシリアル／パラレル変換してパラレルデータに変換するシリアル／パラレル変換手段と、動作状態が不安定状態の時には、前記パラレルデータを読み出す際の最適位置で、読み出し保証領域を縮小した小ウィンドウを設定し、前記小ウィンドウの設定から一定時間経過した後は、動作状態が安定状態と判断して、前記最適位置から前記読み出し保証領域を拡大した大ウィンドウを設定するウィンドウ設定手段と、前記小ウィンドウまたは前記大ウィンドウに同期して、前記小ウィンドウまたは前記大ウィンドウに対する読み出し保証領域内に常に位置する読み出しパルスにもとづいて、前記パラレルデータを読み出してパラレル／シリアル変換し、シリアルデータを生成するパラレル／シリアル変換手段と、から構成される信号制御装置を含む複数の伝送装置と、
前記伝送装置を接続する伝送媒体と、
を有することを特徴とする伝送システム。
【請求項５】
前記ウィンドウ設定手段は、前記読み出しパルスに同期した前記小ウィンドウ及び前記大ウィンドウを生成することを特徴とする請求項４記載の伝送システム。
【請求項６】
前記シリアルデータが正常な周期で生成されているか否かを監視するための保護段を設け、設定された保護段数を満たさない場合には、後段へ自走制御を指示して、出力を保護する出力保護手段をさらに有することを特徴とする請求項４記載の伝送システム。
【請求項７】
信号の乗せ換え制御を行う信号乗せ換え制御方法において、
入力信号をシリアル／パラレル変換してパラレルデータに変換し、
動作状態が不安定状態の時には、前記パラレルデータを読み出す際の最適位置で、読み出し保証領域を縮小した小ウィンドウを設定し、
前記小ウィンドウの設定から一定時間経過した後は、動作状態が安定状態と判断して、前記最適位置から前記読み出し保証領域を拡大した大ウィンドウを設定し、
前記小ウィンドウまたは前記大ウィンドウに同期して、前記小ウィンドウまたは前記大ウィンドウに対する読み出し保証領域内に常に位置する読み出しパルスにもとづいて、前記パラレルデータを読み出してパラレル／シリアル変換し、シリアルデータを生成することにより、信号の乗せ換え制御を行う信号乗せ換え制御方法。
【請求項８】
前記読み出しパルスに同期した前記小ウィンドウ及び前記大ウィンドウを生成することを特徴とする請求項７記載の信号乗せ換え制御方法。
【請求項９】
前記シリアルデータが正常な周期で生成されているか否かを監視するための保護段を設け、設定された保護段数を満たさない場合には、後段へ自走制御を指示して、出力を保護することを特徴とする請求項７記載の信号乗せ換え制御方法。
【発明の詳細な説明】
【０００１】
【発明の属する技術分野】
本発明は信号制御装置、伝送システム及び信号乗せ換え制御方法に関し、特にディジタル信号の制御を行う信号制御装置、ＳＯＮＥＴ(Synchronous Optical Network) ／ＳＤＨ（Synchronous Digital Hierarchy)等のネットワークを通じて、ディジタル信号の伝送を行う伝送システム及びクロック等の信号の乗せ換え制御を行う信号乗せ換え制御方法に関する。
【０００２】
【従来の技術】
近年の多重化通信技術は、北米のＳＯＮＥＴや海外一般国でのＳＤＨ等の網同期伝送システムが主流となっている。これらのシステム上の伝送装置では、クロックのジッタを抑圧して、ビット位相同期の確立等を行うために、クロックの乗せ換え制御を行っている。
【０００３】
図１０は従来のクロック乗せ換え制御の概要を示す図である。シリアル／パラレル変換部１０１は、シリアル／パラレル変換を行い、書き込みクロックにもとづいて、シリアルの入力クロック信号をパラレル信号に変換する。
【０００４】
パラレル／シリアル変換部２０１は、パラレル／シリアル変換を行い、読み出しクロックにもとづいて、パラレル信号をシリアル信号に変換する。
このように、入力クロック信号をシリアル／パラレル変換して、位相余裕を増加させた状態でビットを識別してジッタを抑圧する。そして、パラレル／シリアル変換して再びシリアル信号に戻し、ビット位相同期を確立する。このようにして、書き込みクロック側の周波数に同期している入力クロック信号は、読み出しクロック側の周波数へ乗せ換えられる。
【０００５】
【発明が解決しようとする課題】
しかし、上記のような従来のクロック乗せ換え制御では、読み出しパルスに何らかの位相変動が生じた際には、同じデータを２度読んだり、またはデータが欠落したりするスリップ現象が生じてしまうといった問題があった。
【０００６】
図１１は従来のクロック乗せ換え制御の問題点を示す図である。書き込みクロックから生成されたウィンドウＷ１内（“Ｌ”の部分）に読み出しパルスがある時に、パラレルデータＡを読み出すことができる。ウィンドウＷ１は、メモリ段数１〜７の範囲で読み出しを保証しており、メモリ段数０、８、９ではスリップ領域としている。
【０００７】
ここで、図に示す読み出しパルスＲ１のように、ウィンドウＷ１のほぼ中間に読み出しクロックがあれば、安定した読み出しが可能である。
ところが、読み出しパルスに位相変動が生じて、読み出しパルスＲ２、Ｒ３のように、ウィンドウＷ１の端で固定状態となった場合、その後のわずかな位相ずれに対してもスリップを引き起こす可能性がでてくる。
【０００８】
網同期伝送システムでは、このようなスリップを抑制して、安定したクロック周波数を供給することにより、信頼度の高いディジタル網を構築しなければならない。
【０００９】
本発明はこのような点に鑑みてなされたものであり、スリップ発生を効率よく防止し、高品質な信号乗せ換え制御を行う信号制御装置を提供することを目的とする。
【００１０】
また、本発明の他の目的は、スリップ発生を効率よく防止し、高品質な信号乗せ換え制御を行って信号を伝送する伝送システムを提供することである。
さらに、本発明の他の目的は、スリップ発生を効率よく防止し、高品質な信号乗せ換え制御を行う信号乗せ換え制御方法を提供することである。
【００１１】
【課題を解決するための手段】
本発明では上記課題を解決するために、図１に示すような、ディジタル信号の制御を行う信号制御装置１０において、入力信号をシリアル／パラレル変換してパラレルデータに変換するシリアル／パラレル変換手段１１と、動作状態が不安定状態の時には、パラレルデータを読み出す際の最適位置ｐで、読み出し保証領域を縮小した小ウィンドウＷａを設定し、動作状態が安定状態の時には、最適位置ｐから読み出し保証領域を拡大した大ウィンドウＷｂを設定するウィンドウ設定手段１２と、小ウィンドウＷａまたは大ウィンドウＷｂに対する読み出し保証領域内に位置する読み出しパルスＲにもとづいて、パラレルデータを読み出してパラレル／シリアル変換し、シリアルデータを生成するパラレル／シリアル変換手段１３と、を有することを特徴とする信号制御装置１０が提供される。
【００１２】
ここで、シリアル／パラレル変換手段１１は、入力信号をシリアル／パラレル変換してパラレルデータに変換する。ウィンドウ設定手段１２は、動作状態が不安定状態の時には、パラレルデータを読み出す際の最適位置ｐで、読み出し保証領域を縮小した小ウィンドウＷａを設定し、動作状態が安定状態の時には、最適位置ｐから読み出し保証領域を拡大した大ウィンドウＷｂを設定する。パラレル／シリアル変換手段１３は、小ウィンドウＷａまたは大ウィンドウＷｂに対する読み出し保証領域内に位置する読み出しパルスＲにもとづいて、パラレルデータを読み出してパラレル／シリアル変換し、シリアルデータを生成する。
【００１３】
また、図９に示すような、信号の乗せ換え制御を行う信号乗せ換え制御方法において、入力信号をシリアル／パラレル変換してパラレルデータに変換し、動作状態が不安定状態の時には、パラレルデータを読み出す際の最適位置で、読み出し保証領域を縮小した小ウィンドウを設定し、動作状態が安定状態の時には、最適位置から読み出し保証領域を拡大した大ウィンドウを設定し、小ウィンドウまたは大ウィンドウに対する読み出し保証領域内に位置する読み出しパルスにもとづいて、パラレルデータを読み出してパラレル／シリアル変換し、シリアルデータを生成することにより、信号の乗せ換え制御を行う信号乗せ換え制御方法が提供される。
【００１４】
ここで、動作状態が不安定状態の時には、パラレルデータの読み出し保証領域を縮小する小ウィンドウを、動作状態が安定状態の時には、パラレルデータの読み出し保証領域を拡大する大ウィンドウを設定して、パラレルデータを読み出して、シリアルデータを生成する。
【００１５】
【発明の実施の形態】
以下、本発明の実施の形態を図面を参照して説明する。図１は本発明の信号制御装置の原理図である。信号制御装置１０は、ディジタル信号（例えば、クロック信号）の周波数乗せ換え制御を行い、ＳＯＮＥＴ／ＳＤＨ等の通信を行う伝送装置等に設置される。また、このような伝送装置は、光ファイバケーブル等の伝送媒体で互いに接続され、伝送システムを構成する。
【００１６】
シリアル／パラレル変換手段１１は、例えば、１：１０のシリアル／パラレル比で、入力信号のシリアル／パラレル変換を行い、シリアルの入力信号をパラレルデータに変換する。
【００１７】
ウィンドウ設定手段１２は、動作状態（周波数や位相の変動状態等を指す）が不安定状態の時には、パラレルデータを読み出す際の最適位置（パラレルデータの中心付近）ｐで、読み出し保証領域を縮小した小ウィンドウＷａを設定する。小ウィンドウＷａの“Ｌ”の部分が読み出し保証領域Ｔａである。
【００１８】
また、動作状態が安定状態の時には、最適位置ｐから読み出し保証領域を拡大した大ウィンドウＷｂを設定する。大ウィンドウＷｂの“Ｌ”の部分が読み出し保証領域Ｔｂである。
【００１９】
パラレル／シリアル変換手段１３は、小ウィンドウＷａの読み出し保証領域Ｔａ内、または大ウィンドウＷｂの読み出し保証領域Ｔｂ内に位置する読み出しパルスＲにもとづいて、パラレルデータを読み出し、例えば、１０：１のパラレル／シリアル比でパラレル／シリアル変換してシリアルデータを生成する。
【００２０】
次にウィンドウ設定について詳しく説明する。図２はウィンドウ設定を説明するための図である。ウィンドウ設定手段１２は、ウィンドウを２通り設定することができる。
【００２１】
まず、電源投入やリセットを行った際の初期化状態から一定期間は、周波数変動等があるために不安定状態である。このような期間では、小ウィンドウＷａを設定する。
【００２２】
図に示す小ウィンドウＷａは、メモリ段数３〜５の範囲で読み出しを保証している。また、メモリ段数０〜２、６〜９をスリップ領域としている。このように、不安定状態時では、パラレルデータの読み出し保証領域をパラレルデータの中心付近（メモリ段数の中心付近）で狭めた、読み出し保証領域Ｔａを持つ小ウィンドウＷａを設定する。
【００２３】
また、一定期間が経過して、安定状態に遷移した場合には、大ウィンドウＷｂに切り替える。図に示す大ウィンドウＷｂは、メモリ段数１〜７の範囲で読み出しを保証している。また、メモリ段数０、８、９をスリップ領域としている。このように、安定状態時では、パラレルデータの読み出し保証領域をパラレルデータの中心付近（メモリ段数の中心付近）から広げた、読み出し保証領域Ｔｂを持つ大ウィンドウＷｂを設定する。
【００２４】
ここで、読み出しパルスＲは、小ウィンドウＷａ及び大ウィンドウＷｂに対して、同期がとれている。そして、初期化状態のような不安定状態の期間内では、読み出しパルスＲは、小ウィンドウＷａの読み出し保証領域Ｔａ内に位置する。また、その後の安定状態時には、大ウィンドウＷｂの読み出し保証領域Ｔｂ内に位置する。
【００２５】
このように、不安定状態時の小ウィンドウＷａから、安定状態時の大ウィンドウＷｂへ切り替わることによって、常にメモリ段数の中央付近に読み出しパルスＲを位置させることができる。
【００２６】
これにより、装置の動作中に位相ずれ等があった場合でも、読み出しパルスＲは、その位相ずれの分をメモリ段数の中心付近から移動することになる。このため、スリップ領域まで移動してしまうような不都合を抑制させることができるので、安定した同期制御を行うことが可能になる。
【００２７】
次に本発明の信号制御装置１０を適用したエラスティックストアについて以降説明する。図３はエラスティックストアを示す図である。
エラスティックストア（以下、ＥＳ）１００は、上記で説明した各手段の機能を持つ信号制御手段１０ａと、基準パルス生成手段１４と、フレームパルス生成手段１５と、出力保護手段１６から構成される。ＥＳ１００は、シリアル／パラレル変換、パラレル／シリアル変換を行って、信号の乗せ換え制御を行う。図では、入力するマスタタイミングパルスＭＴＰからフレームパルスＦＰを生成して出力している。
【００２８】
信号制御手段１０ａは、入力信号であるマスタタイミングパルスＭＴＰを書き込みクロックＷＣＬＫで書き込む。そして、読み出しクロックＲＣＬＫで読み出して、タイミングパルスＴＰを生成する。
【００２９】
基準パルス生成手段１４は、書き込みクロックＷＣＬＫと読み出しクロックＲＣＬＫが入力され、上述の読み出しパルスＲに同期した小ウィンドウＷａ及び大ウィンドウＷｂを生成する際に必要な基準パルスＫを生成する。詳細は図４、図５で後述する。
【００３０】
フレームパルス生成手段１５は、タイミングパルスＴＰにもとづいて、フレームパルスＦＰを生成して出力する。
出力保護手段１６は、読み出しクロックＲＣＬＫとタイミングパルスＴＰを受信し、タイミングパルスＴＰが正常周期で生成されているか否かを監視する。
【００３１】
そして、異常周期のタイミングパルスＴＰを１回でも受信すると、その後、正常周期のタイミングパルスＴＰを、あらかじめ設定された保護段数分受信しないと、正常周期のタイミングパルスＴＰを受信しているものと判断しない。
【００３２】
出力保護手段１６は、正常周期のタイミングパルスＴＰを、保護段数分受信した場合には、フレームパルス生成手段１５にＬｏａｄパルスを出力する。
また、保護段数を満たさない場合には、フレームパルス生成手段１５に対して、Ｌｏａｄパルスの出力を停止し自走制御を指示する。出力保護手段１６の動作例については図８で後述する。
【００３３】
次に基準パルスＫの生成について説明する。図４は基準パルス生成手段の構成を示す図である。基準パルス生成手段１４の構成について、カウンタ１４ａのクロック端子に書き込みクロックＷＣＬＫが入力する。カウンタ１４ａは、メモリ段数が１０段あるため、４ビット出力を持つ。この４ビット出力は、デコーダ１４ｂに入力してデコードされる。そして、デコーダ１４ｂからデコードパルスＰ１が出力する。
【００３４】
フリップフロップ１４ｃは、クロック端子に書き込みクロックＷＣＬＫが入力し、デコードパルスＰ１をラッチしてパルスＰ２を出力する。フリップフロップ１４ｄは、クロック端子に読み出しクロックＲＣＬＫが入力し、パルスＰ２をラッチしてパルスＰ３を出力する。フリップフロップ１４ｅは、クロック端子に読み出しクロックＲＣＬＫが入力し、パルスＰ３をラッチする。
【００３５】
フリップフロップ１４ｅの出力は、インバータ１４ｆで反転される。ＡＮＤ素子１４ｇは、インバータ１４ｆの出力とパルスＰ３の論理積をとって、基準パルスＫとして出力する。
【００３６】
図５は基準パルス生成手段１４の各波形を示すタイミングチャートである。デコードパルスＰ１は、メモリ段数の０、１で出力されるようにデコードされたパルスである。パルスＰ２は、デコードパルスＰ１を書き込みクロックＷＣＬＫでラッチしたパルスである。
【００３７】
パルスＰ３は、パルスＰ２を読み出しクロックＲＣＬＫでラッチしたパルスである。パルスＰ４は、パルスＰ３を読み出しクロックＲＣＬＫでラッチして反転させたパルスである。基準パルスＫは、パルスＰ３とパルスＰ４との論理積をとったパルスである。
【００３８】
次にウィンドウ設定手段１２について説明する。図６はウィンドウ設定手段１２の構成を示す図である。
ウィンドウ設定手段１２の構成について、ＡＮＤ素子１２ａは、セレクタ１２ｅから出力されるウィンドウＷ（小ウィンドウＷａまたは大ウィンドウＷｂのいずれか）と基準パルスＫの論理積をとって、パルスＰ７を出力する。
【００３９】
ＮＯＲ素子１２ｂは、条件信号とパルスＰ７の否定論理和をとって出力信号Ｓａをカウンタ１２ｃと時間設定手段１２ｆへ出力する。条件信号とは、ウィンドウを生成する際に、カウンタ１２ｃへ与えるＬｏａｄ条件を示す信号であり、例えば、パワーオンリセット、現用系と予備系の切り替え、クロック断解除等の内容を示す信号である。
【００４０】
カウンタ１２ｃは、クロック端子に読み出しクロックＲＣＬＫが入力し、Ｌｏａｄ端子にＮＯＲ素子１２ｂからの出力信号Ｓａが入力して、４ビットのカウント値を出力する。
【００４１】
デコーダ１２ｄは、この４ビット出力をデコードして、デコードパルスＰ５、Ｐ６を出力する。デコードパルスＰ５は小ウィンドウＷａ、デコードパルスＰ６は大ウィンドウＷｂに該当する。
【００４２】
時間設定手段１２ｆは、イネーブルとなった出力信号Ｓａを受信すると、セレクタ１２ｅへのセレクト信号Ｓｅｌを出力する。ここで、出力信号Ｓａを受信した場合（条件信号がイネーブルになった場合）、不安定状態であると判断できるので、時間設定手段１２ｆは、セレクタ１２ｅがデコードパルスＰ５を選択するようなセレクト信号Ｓｅｌを出力する。
【００４３】
そして、一定時間経過後（例えば、１００ｍｓ）は、安定状態であると判断して、時間設定手段１２ｆは、セレクタ１２ｅがデコードパルスＰ６を選択するようなセレクト信号Ｓｅｌを出力する。
【００４４】
セレクタ１２ｅは、セレクト信号Ｓｅｌにもとづいて、デコードパルスＰ５、Ｐ６のいずれかを選択してウィンドウＷとして出力する。
ウィンドウＷは、ＡＮＤ素子１２ａ、インバータ１２ｇへ入力される。インバータ１２ｇは、ウィンドウＷを反転する。ＡＮＤ素子１２ｈは、インバータ１２ｇからの出力と、基準パルスＫとの論理積をとって、読み出しパルスＲを出力する。
【００４５】
図７はウィンドウ設定手段１２の各波形を示すタイミングチャートである。デコードパルスＰ５は、メモリ段数の３〜５で出力されるようにデコードされたパルスである。デコードパルスＰ６は、メモリ段数の１〜７で出力されるようにデコードされたパルスである。
【００４６】
ここで、タイミングチャート中のＣ１は、不安定状態時（時間設定手段１２ｆが出力信号Ｓａを受信してから１００ｍｓ以内）の小ウィンドウＷａと読み出しパルスＲの位相を示している。
【００４７】
また、タイミングチャート中のＣ２は、安定状態時（時間設定手段１２ｆが出力信号Ｓａを受信してから１００ｍｓ経過後）の大ウィンドウＷｂと読み出しパルスＲの位相を示している。
【００４８】
以上説明したように、書き込みクロックＷＣＬＫをデコードし、それを読み出しクロックＲＣＬＫに乗せ換え、このパルスから基準パルスＫを生成する。
この基準パルスＫは、読み出しクロックＲＣＬＫに同期しているため、これを利用して、小ウィンドウＷａ及び大ウィンドウＷｂを生成すれば、小ウィンドウＷａ、大ウィンドウＷｂと読み出しパルスＲは互いに同期関係になり、読み出しパルスＲは、これらウィンドウに対してビット単位の動きとなる。
【００４９】
次に出力保護手段１６の動作について説明する。図８は出力保護手段１６の動作を示す図である。信号制御手段１０ａから正常時、１２５μｓのタイミングパルスＴＰが出力されるものとし、出力保護手段１６の保護段数を３とする。
【００５０】
図に示すように、最初、正常な１２５μｓのタイミングパルスＴＰを、出力保護手段１６が受信している間は、出力保護手段１６はＬｏａｄパルスを出力する。
【００５１】
ここで、タイミングｔ１で１２５μｓより長い周期のタイミングパルスを受信したとする。この場合、出力保護手段１６は、その後、正常なタイミングパルスＴＰを３回受信するまでは、Ｌｏａｄパルスを出力しないようにする。そして、この期間ではフレームパルス生成手段１５は自走し、自走制御で生成したフレームパルスが出力される。
【００５２】
また、正常な１２５μｓのタイミングパルスＴＰを３回受信したタイミングｔ２からは、再びＬｏａｄパルスを出力する。
次に本発明の信号乗せ換え制御方法について説明する。図９は本発明の信号乗せ換え制御方法の処理手順を示すフローチャートである。
〔Ｓ１〕入力信号をシリアル／パラレル変換してパラレルデータに変換する。
〔Ｓ２〕動作状態が不安定状態の時には、パラレルデータを読み出す際の最適位置で、読み出し保証領域を縮小した小ウィンドウを設定する。
〔Ｓ３〕動作状態が安定状態の時には、最適位置から読み出し保証領域を拡大した大ウィンドウを設定する。
〔Ｓ４〕小ウィンドウまたは大ウィンドウに対する読み出し保証領域内に位置する読み出しパルスにもとづいて、パラレルデータを読み出して、パラレル／シリアル変換し、シリアルデータを生成することにより、信号の乗せ換え制御を行う。
【００５３】
ここで、小ウィンドウ及び大ウィンドウを生成する際には、読み出しパルスに同期したウィンドウを生成する。また、シリアルデータが正常な周期で生成されているか否かを監視するための保護段を設け、設定された保護段数を満たさない場合には、後段の回路に自走制御を指示する。
【００５４】
以上説明したように、本発明の信号制御装置１０、伝送システム及び信号乗せ換え制御方法は、動作状態が不安定状態の時には、パラレルデータの読み出し保証領域を縮小する小ウィンドウＷａを、動作状態が安定状態の時には、パラレルデータの読み出し保証領域を拡大する大ウィンドウＷｂを設定することにより、パラレルデータを読み出して、シリアルデータを生成する構成とした。これにより、スリップの発生を抑制することができるので、信頼性を大きく向上することが可能になる。
【００５５】
また、本発明を適用したＥＳ１００は、周波数変動を吸収するためのスタッフ処理を行うような従来のＥＳに比べて、小規模な回路で構成することができ、さらに消費電力を低減することが可能になる。
【００５６】
さらにまた、出力保護手段１６を設置することにより、ノイズ等が発生しても後段の回路に悪影響を与えることがないので、信頼性の高い伝送制御を行うことが可能になる。
【００５７】
なお、上記の説明では、一般の信号の乗せ換え制御について説明したが、特にＳＯＮＥＴ／ＳＤＨ伝送装置をはじめ既存の同期端局装置やディジタル交換機等に対する、クロック供給部やクロック受信部に適用することにより、信頼性の高い、高品質な網同期を確立することが可能になる。
【００５８】
【発明の効果】
以上説明したように、本発明の信号制御装置は、動作状態が不安定状態の時には、パラレルデータの読み出し保証領域を縮小する小ウィンドウを、動作状態が安定状態の時には、パラレルデータの読み出し保証領域を拡大する大ウィンドウを設定することにより、パラレルデータを読み出して、シリアルデータを生成する構成とした。これにより、スリップ発生を効率よく防止し、高品質な信号乗せ換え制御を行うことが可能になる。また、小ウィンドウを設定してから一定時間経過後に、大ウィンドウに切り替わることで、データ読み出し動作を安定化させることができ、さらに小ウィンドウ及び大ウィンドウ内に常に読み出しパルスが位置するようにしたので、読み出しパルスの位相を変化させてウィンドウ範囲内に収めるといった位相比較制御等を行うことが不要となり、制御を簡潔化して、回路規模の削減を行うことが可能になる。
【００５９】
また、本発明の伝送システムは、動作状態が不安定状態の時には、パラレルデータの読み出し保証領域を縮小する小ウィンドウを、動作状態が安定状態の時には、パラレルデータの読み出し保証領域を拡大する大ウィンドウを設定することにより、パラレルデータを読み出して、シリアルデータを生成する構成とした。これにより、スリップ発生を効率よく防止し、高品質な信号乗せ換え制御を行って信号を伝送することが可能になる。また、小ウィンドウを設定してから一定時間経過後に、大ウィンドウに切り替わることで、データ読み出し動作を安定化させることができ、さらに小ウィンドウ及び大ウィンドウ内に常に読み出しパルスが位置するようにしたので、読み出しパルスの位相を変化させてウィンドウ範囲内に収めるといった位相比較制御等を行うことが不要となり、制御を簡潔化して、回路規模の削減を行うことが可能になる。
【００６０】
さらに、本発明の信号乗せ換え制御方法は、動作状態が不安定状態の時には、パラレルデータの読み出し保証領域を縮小する小ウィンドウを、動作状態が安定状態の時には、パラレルデータの読み出し保証領域を拡大する大ウィンドウを設定することにより、パラレルデータを読み出して、シリアルデータを生成することとした。これにより、スリップ発生を効率よく防止し、高品質な信号乗せ換え制御を行うことが可能になる。また、小ウィンドウを設定してから一定時間経過後に、大ウィンドウに切り替わることで、データ読み出し動作を安定化させることができ、さらに小ウィンドウ及び大ウィンドウ内に常に読み出しパルスが位置するようにしたので、読み出しパルスの位相を変化させてウィンドウ範囲内に収めるといった位相比較制御等を行うことが不要となり、制御を簡潔化して、回路規模の削減を行うことが可能になる。
【図面の簡単な説明】
【図１】本発明の信号制御装置の原理図である。
【図２】ウィンドウ設定を説明するための図である。
【図３】エラスティックストアを示す図である。
【図４】基準パルス生成手段の構成を示す図である。
【図５】基準パルス生成手段の各波形を示すタイミングチャートである。
【図６】ウィンドウ設定手段の構成を示す図である。
【図７】ウィンドウ設定手段の各波形を示すタイミングチャートである。
【図８】出力保護手段の動作を示す図である。
【図９】本発明の信号乗せ換え制御方法の処理手順を示すフローチャートである。
【図１０】従来のクロック乗せ換え制御の概要を示す図である。
【図１１】従来のクロック乗せ換え制御の問題点を示す図である。
【符号の説明】
１０  信号制御装置
１１  シリアル／パラレル変換手段
１２  ウィンドウ設定手段
１３  パラレル／シリアル変換手段
Ｔａ  小ウィンドウの読み出し保証領域
Ｔｂ  大ウィンドウの読み出し保証領域
Ｗａ  小ウィンドウ
Ｗｂ  大ウィンドウ
Ｒ  読み出しパルス
ｐ  最適位置
【図１】
0003715498.tif 000002
【図２】
0003715498.tif 000003
【図３】
0003715498.tif 000004
【図４】
0003715498.tif 000005
【図５】
0003715498.tif 000006
【図６】
0003715498.tif 000007
【図７】
0003715498.tif 000008
【図８】
0003715498.tif 000009
【図９】
0003715498.tif 000010
【図１０】
0003715498.tif 000011
【図１１】
0003715498.tif 000012